(57)【要約】【課題】  装飾的なバリエーションが豊富で、ユーザの独自性が得られる。【解決手段】  第２ケース２の表面に装着される装飾パネル４のパネル本体１１に面発光装置１２を設け、この面発光装置１２の発光面に装飾部１８を設けた。従って、面発光装置１２の面発光によって装飾部１８を照明することができ、これによりパネル本体１１の色や材質のみに限られず、電飾表示ができると共に、ユーザの好みに応じた装飾部１８を設けることにより、ユーザ独自の装飾効果を得ることができる。【選択図】        図４
2005292490.tif 000002
【特許請求の範囲】
【請求項１】
機器本体の表面に装着されるパネル本体と、
このパネル本体に設けられて面発光する面発光装置と、
この面発光装置の発光面に対応する部分に設けられた装飾部と
を備えたことを特徴とする装飾パネル。
【請求項２】
前記面発光装置は、光源と導光板とを備え、前記光源からの光を前記導光板の側面から取り込み、この取り込んだ光を面方向に導きながら前記導光板の一面から出射することにより、面発光することを特徴とする請求項１に記載の装飾パネル。
【請求項３】
前記面発光装置は、エレクトロルミネッセンス素子からなることを特徴とする請求項１に記載の装飾パネル。
【請求項４】
前記装飾部は、文字や図形などのマークが発光塗料によって形成されていることを特徴とする請求項１〜３のいずれかに記載の装飾パネル。
【請求項５】
前記パネル本体は光透過性を有する材料からなることを特徴とする請求項１〜４のいずれかに記載の装飾パネル。
【請求項６】
キー入力部を有する第１ケース部材と表示部を有する第２ケース部材とをヒンジ部によって開閉可能に連結した電子機器において、
前記第２ケース部材は、前記ヒンジ部によって前記第１ケース部材に開閉可能に連結された連結ケースと、前記表示部が設けられ且つ前記連結ケースに着脱可能に取り付けられる表示ケースとからなることを特徴とする電子機器。
【請求項７】
前記表示部の表示形態の種類を検出して前記表示部の表示形態の種類に応じて画面の表示状態を変更させるための検出部材を備えていることを特徴とする請求項６に記載の電子機器。
【請求項８】
前記検出部材は、前記第２ケース部材の前記連結ケースと前記表示ケースとに設けられ、前記表示部の表示形態の種類に応じて、前記連結ケースと前記表示ケースとの接続状態が異なるコネクタ部材であることを特徴とする請求項７に記載の電子機器。
【発明の詳細な説明】
【技術分野】
【０００１】
この発明は、電子辞書や携帯電話機などの電子機器に装着される装飾パネルおよび電子機器に関する。
【背景技術】
【０００２】
例えば、電子辞書などの電子機器においては、機器本体の表面に色や材質の異なるカバー部材をユーザの好みに応じて取り付けることにより、装飾的なバリエーションが得られるように構成し、ユーザにとって独自性を持たせることができるようにすることが要望されている。
【０００３】
このような装飾的な要望に応える装飾装置として、特許文献１に示すように、発光ダイオードを収納した台座に表示パネルを着脱可能に取り付けると共に、この表示パネルに色材や凹凸を設けて書画を作り、この状態で発光ダイオードの光を表示パネルの側面から表示パネルの内部に取り込み、この取り込んだ光を表示パネルで導きながら表示パネルの表裏面から出射させることにより、表示パネルで書画を輝かせて装飾効果を与える電飾表示装置が知られている。
【特許文献１】特開２００１−１５９８７４号公報
【０００４】
また、電子辞書などの電子機器においては、各種の情報を表示する表示パネルがユーザの要部に応じて交換できるようにすれば、ユーザにとって便利であるが、表示パネルを機器本体に対して着脱できるものはあっても、異なる表示機能を有する表示パネルと交換できるようにしたものはない。例えば、表示パネルが着脱できる電子機器として、特許文献２に示すように、表示パネルを機器本体に対して着脱可能に支持する支持部材を備え、表示パネルと機器本体とを分離させたときに、表示パネルと機器本体をケーブルで接続するようにしたものがある。
【特許文献２】特開平１０−１０５２７４号公報
【発明の開示】
【発明が解決しようとする課題】
【０００５】
しかしながら、前者のような装飾装置では、表示パネルに色材や凹凸を設けて書画を作り、この状態で発光ダイオードの光を表示パネルで導いて面発光させることにより、書画を輝かせることができても、装置全体が置物タイプの大きなものであるから、そのまま電子辞書のカバー部材として用いることができないばかりか、ユーザにとって十分な独自性が得られない。
また、後者のような表示パネルが着脱できる電子機器では、機器本体から表示パネルを取り外した状態でも、表示パネルと機器本体とを電気的に接続して表示パネルに情報を表示させることはできるが、表示パネルの表示形態の種類に応じた表示パネルをユーザが適宜選択して交換することができないという問題がある。
【０００６】
この発明が解決しようとする第１の課題は、装飾的なバリエーションが豊富で、ユーザにとって独自性が得られる装飾パネルを提供することである。
また、この発明の第２の課題は、表示形態の異なる表示部でも容易に交換することができる電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１２に示すように、機器本体（第２ケース２）の表面に装着されるパネル本体（１１、４０）と、このパネル本体に設けられて面発光する面発光装置（１２、４１）と、この面発光装置の発光面に対応する部分に設けられた装飾部（１８）とを備えたことを特徴とする装飾パネル（４）である。
【０００８】
請求項２に記載の発明は、図１〜図１０に示すように、前記面発光装置（１２）が、光源（発光ダイオード１４）と導光板（１５）とを備え、前記光源からの光を前記導光板の側面から取り込み、この取り込んだ光を面方向に導きながら前記導光板の一面から出射することにより、面発光することを特徴とする請求項１に記載の装飾パネルである。
【０００９】
請求項３に記載の発明は、図１１および図１２に示すように、前記面発光装置（４１）が、エレクトロルミネッセンス素子（ＥＬ発光素子４３）からなることを特徴とする請求項１に記載の装飾パネルである。
【００１０】
請求項４に記載の発明は、図１〜図１２に示すように、前記装飾部（１８）は、文字や図形などのマークが発光塗料によって形成されていることを特徴とする請求項１〜３のいずれかに記載の装飾パネルである。
【００１１】
請求項５に記載の発明は、図１１および図１２に示すように、前記パネル本体（４０）が光透過性を有する材料からなることを特徴とする請求項１〜４のいずれかに記載の装飾パネルである。
【００１２】
請求項６に記載の発明は、図１３〜図１８に示すように、キー入力部（キーボード５）を有する第１ケース部材（第１ケース１）と表示部（５３）を有する第２ケース部材（第２ケース５０）とをヒンジ部（３）によって開閉可能に連結した電子機器において、
前記第２ケース部材は、前記ヒンジ部によって前記第１ケース部材に開閉可能に連結された連結ケース（５１）と、前記表示部が設けられ且つ前記連結ケースに着脱可能に取り付けられる表示ケース（５２）とからなることを特徴とする電子機器である。
【００１３】
請求項７に記載の発明は、図１３〜図１８に示すように、前記表示部（５３）の表示形態の種類を検出して前記表示部の表示形態の種類に応じて画面の表示状態を変更させるための検出部材（第１、第２コネクタ６０、６１）を備えていることを特徴とする請求項６に記載の電子機器である。
【００１４】
請求項８に記載の発明は、図１３〜図１８に示すように、前記検出部材は、前記第２ケース部材（第２ケース５０）の前記連結ケース（５１）と前記表示ケース（５２）とに設けられ、前記表示部（５３）の表示形態の種類に応じて、前記連結ケースと前記表示ケースとの接続状態が異なるコネクタ部材（第１、第２コネクタ６０、６１）であることを特徴とする請求項７に記載の電子機器である。
【発明の効果】
【００１５】
請求項１に記載の発明によれば、機器本体の表面に装着されるパネル本体に面発光装置を設け、この面発光装置の発光面に対応する部分に装飾部を設けたので、面発光装置の面発光によって装飾部を照明することができ、これによりパネル本体の色や材質による装飾効果に限られず、電飾表示ができるので、装飾的なバリエーションが豊富になると共に、ユーザの好みに応じた装飾部を設けることにより、ユーザ独自の装飾効果を得ることができる。
【００１６】
請求項２に記載の発明によれば、面発光装置が、光源と導光板とを備え、光源からの光を導光板の側面から取り込んみ、この取り込んだ光を面方向に導きながら導光板の一面から出射して面発光することにより、確実に且つ良好に装飾部を照明することができる。この場合、光源が発光色の異なる複数の光源を備えた構成であれば、発光色を選択することができ、これにより装飾部１８をカラーの光で照明することができるので、より一層、装飾性の高いものを得ることができる。
【００１７】
請求項３に記載の発明によれば、面発光装置がエレクトロルミネッセンス素子からなることにより、請求項１に記載の発明と同様、エレクトロルミネッセンス素子による面発光によって装飾部を確実に且つ良好に照明することができるほか、特にエレクトロルミネッセンス素子を用いていることにより、面発光装置の厚みを薄く構成することができ、これにより装飾パネル全体の薄型化をも図ることができる。
【００１８】
請求項４に記載の発明によれば、装飾部が文字や図形などのマークを発光塗料によって形成したことにより、発光塗料からなる装飾部を面発光装置で照明すると、装飾部自体が発光するので、装飾部を浮き上がらせることができ、これによっても装飾性の高いものを得ることができる。この場合、装飾部は発光塗料の上に遮光性塗料を塗布し、この遮光性塗料における文字や記号、図形などのマークに対応する部分をレーザ光線などで剥離した構造でも良く、また文字や記号、図形などのマークのみを発光塗料でスタンプ印刷やシルク印刷などの各種の印刷によって設けた構造でも良い。
【００１９】
請求項５に記載の発明によれば、パネル本体が光透過性を有する材料からなることにより、装飾部をパネル本体の表裏面および面発光装置の発光面のいずれにも設けることができる。このため、装飾部をパネル本体の表裏面と面発光装置の発光面とにそれぞれ設ければ、装飾部を立体的に表現することができるので、より一層、装飾性の高いものを得ることができる。この場合、装飾部をパネル本体の表面に設けるときには、装飾部を印刷などで簡単にパネル本体の表面に設けることができるので、ユーザの名前やイニシャルをユーザが自由に設けることができる。
【００２０】
請求項６に記載の発明によれば、キー入力部を有する第１ケース部材と表示部を有する第２ケース部材とをヒンジ部によって開閉可能に連結した電子機器において、第２ケース部材は、ヒンジ部によって第１ケース部材に開閉可能に連結された連結ケースと、表示部が設けられ且つ連結ケースに着脱可能に取り付けられる表示ケースとからなることにより、表示部を有する表示ケースを連結ケースに着脱可能に取り付けることができるので、表示形態の異なる表示部を有する表示ケースを容易に交換することができ、これによりユーザの希望する表示形態の表示部を自由に選択して取り付けることができる。
【００２１】
請求項７に記載の発明によれば、表示部の表示形態の種類を検出して表示部の表示形態の種類に応じて画面の表示状態を変更させるための検出部材を備えていることにより、表示部の表示形態が異なる表示ケースと交換しても、その表示部の表示形態に応じて画面の表示状態を自動的に変更することができ、これによりユーザが簡単に且つ容易に表示ケースを交換するとができると共に、表示ケースを交換しても良好に使用することができる。
【００２２】
請求項８に記載の発明によれば、検出部材が、第２ケース部材の連結ケースと表示ケースとに設けられ、表示部の表示形態の種類に応じて、連結ケースと表示ケースとの接続状態が異なるコネクタ部材で構成されていることにより、表示部の表示形態が異なる表示ケースを連結ケースに取り付けるときに、コネクタ部材が表示部の表示形態の種類に応じた接続状態で接続されるので、このコネクタ部材によって表示部の表示形態の種類を検出して表示部の表示形態の種類に応じた画面の表示状態に変更することができ、このため表示ケースの交換が更に簡単で容易にでき、より一層、使い勝手のよいものを得ることができる。
【発明を実施するための最良の形態】
【００２３】
（実施形態１）
以下、図１〜図８を参照して、この発明を電子辞書に適用した実施形態１について説明する。
図１はこの発明の電子辞書を開いた状態の正面図、図２はその電子辞書を閉じた状態の一部破断した側面図、図３は図１の第２ケースのみを示した正面図、図４は図１の第２ケースを背面側から見て装飾パネルの正面側を示した図、図５は図４のＡ−Ａ矢視における要部の拡大断面図、図６は図２の要部を拡大した断面図、図７は図２の第２ケースに装飾パネルを装着するときの状態を示した側面図、図８は図４に示された装飾部の要部を示した拡大断面図である。
【００２４】
この電子辞書は、図１および図２に示すように、互いに重なり合う第１ケース１と第２ケース２とを備え、この第１ケース１と第２ケース２とがヒンジ部３によって開閉可能に連結され、第２ケース２の外表面に装飾パネル４が着脱可能に取り付けられた構造になっている。この場合、第１ケース１は、図１に示すように、横長のほぼ平板状の箱形に形成されており、その内部には、キーボード５が第２ケース２と対向する第１ケース１の対向面（同図では正面）に露出して設けられている。このキーボード５は、文字キー、カーソルキー、ファンクションキーなどの辞書機能に必要な各種のキーを備えている。
【００２５】
第２ケース２は、図１〜図３に示すように、第１ケース１とほぼ同じサイズの平板状の箱形に形成されており、その内部には、表示部６が設けられている。この表示部６は、辞書データなどの情報を電気光学的に表示するものであり、液晶表示素子やＥＬ表示素子（エレクトロルミネッセンス表示素子）などの平面型の表示素子からなり、図１および図３に示すように、第１ケース１と対向する第２ケース２の対向面（図３では正面）に設けられた表示用の開口部７に対応して設けられ、この開口部７を通して表示された情報が見えるように構成されている。
【００２６】
ヒンジ部３は、図１に示すように、第１ケース１の上辺部（図２では左端部）にその両端部を除いて設けられた第１凸部８と、第２ケース２の下辺部（図２では左端部）の両端部分に設けられた第２凸部９とを備え、第１ケース１の第１凸部８を第２ケース２の第２凸部９間に配置した状態で、第１、第２凸部８、９を連結軸１０で回動可能に連結した構造になっている。この場合、第１ケース１と第２ケース２とは、ヒンジ部３を介してフレキシブルな配線基板などの接続部材（図示せず）によって電気的に接続されている。
【００２７】
一方、第２ケース２に装着される装飾パネル４は、図４および図５に示すように、ステンレスなどの金属や合成樹脂などからなるほぼ平板状のパネル本体１１を備え、このパネル本体１１が、第２ケース２の平面（図２では上面）２ａ、第２ケース２におけるヒンジ部３と反対側に位置する先端側（図３では上辺側）の側面２ｂ、および第２ケース２の左右両側の側面２ｃを覆って第２ケース２に装着されるように構成されている。すなわち、このパネル本体１１は、図４に示すように、第２ケース２の平面２ａに配置される平板部１１ａを有しており、この平板部１１ａの外周部には、第２ケース２の先端側の側面２ｂに配置される側面部１１ｂ、および第２ケース２の左右両側の側面２ｃに配置される両側の側面部１１ｃがそれぞれ形成されている。
【００２８】
また、このパネル本体１１の内面、つまり平板部１１ａの下面には、図４および図５に示すように、面発光装置１２が設けられている。この面発光装置１２は、枠状の回路基板１３と、この回路基板１３上に設けられた複数の発光ダイオード１４と、この発光ダイオード１４の光を面方向に導きながら上面から出射する導光板１５とを備え、パネル本体１１の下面側に支持部１６によって支持されている。この場合、回路基板１３は、導光板１５の周囲に位置した状態で支持部１６上に配置されている。発光ダイオード１４は、図４に示すように、導光板１５の左右両側の各側に複数個ずつ対応した状態で、回路基板１３上に配置されている。
【００２９】
導光板１５は、図４に示すように、パネル本体１１の平板部１１ａに設けられた開口部１７とほぼ同じサイズの長方形に形成され、その上面側がパネル本体１１の開口部１７に挿入して上方に露出し、下面の周縁部が支持部１６に支持されている。この導光板１５は、その周囲の側面に凸部１５ａが形成され、この凸部１５ａに発光ダイオード１４が対向して配置されている。これにより、導光板１５は、発光ダイオード１４の光を凸部１５ａの側面から取り込み、この取り込んだ光を面方向に導きながら上面から順次出射させて面発光するように構成されている。
【００３０】
また、この導光板１５の上面には、図４に示すように、装飾部１８が設けられている。この装飾部１８は、文字や記号、図形などのユーザ独自のマークであり、図８に示すように、導光板１５の上面における装飾領域１８ａに発光塗料からなる発光層１９を設け、この発光層１９上に遮光塗料からなる遮光層２０を設け、この遮光層２０の不要な部分をレーザ光線で除去して発光層１９を露出させることにより、マークとして文字（例えば、ＰＡＮＥＬ）を表現している。この場合、マークとしての文字は、ユーザの名前やイニシャルなどであることが望ましい。
【００３１】
ところで、装飾パネル４と第２ケース２とは、図４および図５に示すように、複数の接続連結部材２１によって着脱可能に取り付けられている。すなわち、これら接続連結部材２１は、図５に示すように、第２ケース２内に設けられた回路基板２２に電気的に接続された状態で、第２ケース２内にその左右両側の各側面２ｃから出没可能に設けられた複数の接続係止部２３と、装飾パネル４の左右両側の各側面１１ｃに設けられて複数の接続係止部２３がそれぞれ係脱可能に係合して電気的に接続される複数の接続係合部２４とを備えている。これにより、接続連結部材２１は、第２ケース２の接続係止部２３と装飾パネル４の接続係合部２４とが係脱可能に係合することにより、装飾パネル４を第２ケース２に着脱可能に取り付けるように構成されている。
【００３２】
この場合、第２ケース２内の接続係止部２３は、図５に示すように、第２ケース２の左右両側の側面２ｃの近傍に位置する回路基板２２の端部上の電極（図示せず）に半田２２ａで固定された固定端子部２５と、この固定端子部２５の先端部に設けられた円筒部２６と、この円筒部２６内に収納されたばね部材２７と、円筒部２６内に一端部が挿入されて他端部が第２ケース２の側面２ｃに設けられた貫通孔２８に出没可能に挿入された可動端子部２９とを備え、この可動端子部２９がばね部材２７のばね力によって第２ケース２の外部に向けて付勢されるように構成されている。
【００３３】
また、装飾パネル４内の接続係合部２４は、図５に示すように、パネル本体１１の左右両側の側面１１ｃに設けられて接続係止部２３の可動端子部２９が係脱可能に係合する係合凹部３０と、この係合凹部３０の内面から装飾パネル４内の面発光装置１２の回路基板１３に亘って連続する配線リード３１とを備え、この配線リード３１が装飾パネル４の内面に固定され、この状態で配線リード３１の一端部が回路基板１３の電極（図示せず）に半田３１ａによって接続されている。
【００３４】
これにより、接続連結部２１は、第２ケース２の可動端子部２９がばね部材２７のばね力によって装飾パネル４の係合凹部３０に係合することにより、装飾パネル４を第２ケース２に着脱可能に取り付けると共に、これと同時に可動端子部２９と配線リード３１とが接触し、装飾パネル４内の回路基板１３と第２ケース２内の回路基板２２とを電気的に接続するように構成されている。
【００３５】
一方、第２ケース２におけるヒンジ部３と反対側に位置する先端側（図３では上辺側）の側面２ｂには、図６に示すように、係止突起３２が設けられている。この係止突起３２は、先端部が半円形状に形成され、第２ケース２の先端側の側面２ｂの厚み方向および左右方向の中間部分に位置し、且つその側面２ｂに沿って細長く形成されている。また、装飾パネル４におけるヒンジ部３と反対側に位置する先端側（図４では上辺側）の側面部１１ｂには、図６に示すように、係合突起３３が設けられている。この係合突起３３は、第２ケース２の係止突起３２を覆う半円形状の凸部の内側に係止突起３２が嵌合する凹部３３ａが形成された凸形状をなし、装飾パネル４の上辺側の側面部１１ｂの中間部分に左右方向に沿って細長く形成されている。
【００３６】
次に、装飾パネル４を第２ケース２に取り付ける場合について説明する。
この場合には、図７に示すように、まず、装飾パネル４の先端側の側面部１１ｂに設けられた係合突起３３を第２ケース２の先端側の側面２ｂに設けられた係止突起３２に対応させ、この状態で係止突起３２を係合突起３３の凹部３３ａに挿入させて引っ掛ける。これにより、第２ケース２に対して装飾パネル４が位置規制される。
【００３７】
この状態で、第２ケース２の先端側の係止突起３２を中心に装飾パネル４を第２ケース２に向けて回動させると、図２に示すように、装飾パネル４の平面部１１ａが第２ケース２の平面２ａに配置されると共に、装飾パネル４の左右の側面部１１ｃが第２ケース２の左右の側面２ｃに配置されることにより、接続連結部材２１における装飾パネル４の接続係合部２４に第２ケース２の接続係止部２３が係合する。
【００３８】
このときには、図５に示すように、接続連結部材２１における第２ケース２の接続係止部２３の可動端子部２９が装飾パネル４の側面部１１ｃの内面に当接するが、可動端子部２９がばね部材２７のばね力に抗して第２ケース２内に向けて没入するので、可動端子部２９の先端が装飾パネル４の側面部１１ｃに沿って相対的に摺動する。そして、可動端子部２９の先端が装飾パネル４の接続係合部２４の係止凹部３０に対応すると、ばね部材２７のばね力で可動端子部２９が押し出されて接続係合部２４の係合凹部３０に係合する。
【００３９】
これにより、図５に示すように、接続係止部２３の可動端子部２９が接続係合部２４の配線リード３１に接触して、装飾パネル４内の回路基板１３と第２ケース２内の回路基板２２とが電気的に接続される。この状態では、図１および図２に示すように、装飾パネル４が、第２ケース２の平面２ａ（図７では上面）、第２ケース２の先端側の側面２ｂ、および第２ケース２の左右両側の側面２ｃを覆った状態で、第２ケース２に着脱可能に装着される。
【００４０】
また、装飾パネル４を第２ケース２から取り外す場合には、図５に示す状態で、装飾パネル４を接続係止部２３のばね部材２７のばね力に抗して第２ケース２から離脱する方向に押し上げると、接続係止部２３の可動端子部２９がばね部材２７のばね力に抗して装飾パネル４の側面部１１ｃに設けられた接続係合部２４の係合凹部３０から離脱する。この状態で、第２ケース２の先端側の係止突起３２を中心に装飾パネル４を第２ケース２から離れる方向に向けて回動させると、図７に示すように、装飾パネル４が第２ケース２に対して角度を持って開く。この後、第２ケース２の先端側の係止突起３２から装飾パネル４の先端側の係合突起３３を離脱させることにより、装飾パネル４を第２ケース２から取り外すことができる。
【００４１】
このように、この電子辞書では、装飾パネル４を第２ケース２に装着した状態で、第１ケース１と第２ケース２とをヒンジ部３を中心に回動させて閉じると、図２に示すように、第１ケース１と第２ケース２とが互いに重なり合うので、全体がコンパクトになり、これにより良好に携帯することができる。また、この状態で、第１ケース１と第２ケース２とをヒンジ部３を中心に回動させて開くと、図１に示すように、第１ケース１のキーボード５が露呈すると共に、第２ケース２の表示部６が開口部７を通して露呈するので、表示部６を見ながらキーボード５を操作して情報を入力することができると共に、入力された情報およびその入力操作に基づいて所望の辞書データなどの情報を表示部６に表示させることができ、これにより良好に使用することができる。
【００４２】
また、この電子辞書では、携帯するときでも使用するときでも、第２ケース２に装着された装飾パネル４の面発光装置１２によって装飾部１８を照明することができる。すなわち、面発光装置１２の発光ダイオード１４を発光させると、その光が導光板１５の側面から導光板１５内に取り込まれ、この取り込まれた光が導光板１５で面方向に導かれながらその上面から出射され、これにより導光板１５が面発光するので、この導光板１５の面発光によりその上面に設けられた装飾部１８を照明することができる。このため、装飾パネル４が、色や材質による装飾効果に限られず、電飾表示ができるので、装飾的なバリエーションが豊富になるばかりか、ユーザの好みに応じた装飾部１８を設けることにより、ユーザ独自の装飾効果を得ることができる。
【００４３】
この場合には、装飾部１８が、発光塗料からなる発光層１９上に遮光塗料からなる遮光層２０を設け、この遮光層２０の不要な部分をレーザ光線によって除去することにより、文字や記号、図形などのマークとして発光層１９を露呈させた構造であるから、この露呈した発光層１９自体を光らせることができ、これにより文字などのマークを浮き上がらせることができるので、より一層、装飾性の高いものを得ることができる。特に、装飾部１８のマークとして、ユーザの名前やイニシャルを表現すれば、より一層、ユーザの独自性を高めることができる。また、複数の発光ダイオード１４が、例えば赤、青、緑などの異なる発光色で選択的に発光するように構成されていれば、発光色の異なる発光ダイオード１４を選択して発光させることにより、装飾部１８を赤、青、緑などのカラーの光で照明することができ、これによっても装飾性の高いものを得ることができる。
【００４４】
なお、上記実施形態１では、装飾部１８が発光塗料からなる発光層１９上に遮光塗料からなる遮光層２０を設け、この遮光層２０の不要な部分をレーザ光線で除去して、文字や記号、図形などのマークとして発光層１９を露呈させた構造になっているが、これに限らず、例えば、図９に示す第１変形例、または図１０に示す第２変形例のように構成しても良い。すなわち、図９に示された第１変形例は、面発光装置１２の導光板１５の上面に遮光塗料からなる遮光層２０を設け、この遮光層２０の不要な部分をレーザ光線で除去して、文字や記号、図形などのマークを形成した構造である。また、図１０に示された第２変形例は、面発光装置１２の導光板１５の上面に発光塗料からなる発光層１９を文字や記号、図形などのマークとしてスタンプ印刷やシルク印刷などの印刷によって形成した構造である。このようないずれの構造においても、実施形態１と同様の作用効果がある。
【００４５】
（実施形態２）
次に、図１１および図１２を参照して、この発明を電子辞書に適用した実施形態２について説明する。なお、図１〜図８に示された実施形態１と同一部分には同一符号を付して説明する。
この電子辞書は、装飾パネル４のパネル本体４０が光透過性を有する材料からなり、このパネル本体４０に平板状の面発光装置４１を設けた構造で、これ以外は実施形態１とほぼ同じ構造になっている。
【００４６】
すなわち、装飾パネル４のパネル本体４０は、透明または半透明の合成樹脂からなり、この合成樹脂中に拡散剤を混入させた構造で、面発光装置４１で発光した光を拡散透過させるように構成されている。また、面発光装置４１は、図１２に示すように、回路基板４２と、この回路基板４２に電気的に接続されたＥＬ発光素子４３とからなり、これらが支持部材４４によってパネル本体４０の下面に支持された構造になっている。この場合、回路基板４２は、帯状に形成され、第２ケース２の左右両側（図１２では左側のみを示す）に対応して配置されている。このＥＬ発光素子４３は、表示機能を持たないＥＬ素子からなり、電圧が印加されると、それ自体が面発光するように構成されている。
【００４７】
また、この装飾パネル４のパネル本体４０の表面には、装飾部１８が設けられている。この装飾部１８は、実施形態１と同様、発光塗料からなる発光層１９上に遮光塗料からなる遮光層２０を設け、この遮光層２０の不要な部分をレーザ光線で除去して、文字や記号、図形などのマークとして発光層１９を露呈させた構造になっている。また、第２ケース２と装飾パネル４とは、実施形態１と同様、接続連結部材２１によって第２ケース２内の回路基板２２と装飾パネル４に設けられた面発光装置４１の回路基板４２とが電気的に接続された状態で、装飾パネル４が第２ケース２に着脱可能に取り付けられるように構成されている。
【００４８】
このような電子辞書においても、第２ケース２に装着された装飾パネル４の面発光装置４１によって装飾部１８を照明することができる。すなわち、面発光装置４１のＥＬ発光素子４３を面発光させると、その光が装飾パネル４のパネル本体４０を拡散透過するので、この拡散透過した光によって装飾部１８を照明することができる。このため、実施形態１と同様、装飾パネル４が、色や材質による装飾効果に限られず、電飾表示ができるので、装飾的なバリエーションが豊富になるばかりか、ユーザの好みに応じた装飾部１８を設けることにより、ユーザ独自の装飾効果を得ることができる。この場合、特に面発光装置４１の発光源としてＥＬ発光素子４３を用いているので、面発光装置４１を薄く構成することができ、これにより装飾パネル４全体の薄型化をも図ることができる。
【００４９】
なお、上記実施形態２では、装飾パネル４のパネル本体４０の表面に装飾部１８を設けたが、これに限らず、例えばパネル本体４０の裏面に装飾部１８を設けても良く、またＥＬ発光素子４３の上面に装飾部１８を設けても良い。この場合、特に装飾部１８をパネル本体４０の表裏両面とＥＬ発光素子４３の上面とにそれぞれ設ければ、装飾部１８を立体的に表現することができ、より一層、装飾性の高いものを得ることができる。
また、上記実施形態２においても、装飾部１８は必ずしも発光塗料からなる発光層１９上に遮光塗料からなる遮光層２０を設け、この遮光層２０の不要な部分をレーザ光線で除去して、文字や記号、図形などのマークとして発光層１９を露呈させた構造にである必要はなく、図９に示した第１変形例、または図１０に示した第２変形例のように構成しても良い。
【００５０】
（実施形態３）
次に、図１３〜図１８を参照して、この発明を電子辞書に適用した実施形態３について説明する。この場合にも、図１〜図８に示された実施形態１と同一部分には同一符号を付して説明する。
この電子辞書は、第２ケース５０を連結ケース５１と表示ケース５２とで構成し、この表示ケース５２を連結ケース５１に着脱可能に取り付ける構造で、これ以外は実施形態１とほぼ同じ構造になっている。
【００５１】
すなわち、第２ケース５０の連結ケース５１は、ヒンジ部３によって第１ケース１に回動可能に連結されている。この場合にも、ヒンジ部３は、図１５に示すように、第１ケース１の上辺部（図１５では左端部）にその両端部を除いて設けられた第１凸部８と、連結ケース５１の下辺部（図２では左端部）の両端部分に設けられた第２凸部９とを備え、第１ケース１の第１凸部８を第２ケース２の第２凸部９間に配置した状態で、第１、第２凸部８、９を連結軸１０で回動可能に連結した構造になっている。なお、第１ケース１と連結ケース５１とは、ヒンジ部３を介してフレキシブルな配線基板などの接続部材（図示せず）によって電気的に接続されている。
【００５２】
一方、表示ケース５２は、図１５に示すように、その内部に表示部５３が第１ケース１に対向する対向面（図１３では正面）に設けられた表示用の開口部５４に対応して設けられ、この開口部５４を通して表示部５３に表示された情報が見えるように構成されている。この表示部５３は、実施形態１と同様、液晶表示素子やＥＬ表示素子（エレクトロルミネッセンス表示素子）などの平面型の表示素子からなっている。この場合、表示部５３は、白黒表示、カラー表示、高輝度表示、高解像度表示などのように、表示形態が異なる複数の種類のものがある。このため、表示ケース５２は、表示形態の異なるいずれかの表示部５３が設けられている。
【００５３】
ところで、連結ケース５１と表示ケース５２との連結構造は、図１４〜図１６に示すように、連結ケース５１に設けられた装着凸部５５と、表示ケース５２に設けられた装着凹部５６とを備え、連結ケース５１の装着凸部５５に表示ケース５２の装着凹部５６が着脱可能に嵌合することにより、連結ケース５１と表示ケース５２とが着脱可能に取り付けられるように構成されている。この場合、連結ケース５１の装着凸部５５の左右両側には、図１６に示すように、ロック部材５７が設けられている。このロック部材５７は、連結ケース５１の装着凸部５５に表示ケース５２の装着凹部５６が嵌合したときに、装着凹部５６の両側内面に設けられた係合凹部５８に係脱可能に係合して連結ケース５１と表示ケース５２とを係脱可能にロックするように構成されている。
【００５４】
また、連結ケース５１の装着凸部５５には、図１６に示すように、第１コネクタ６０が設けられており、表示ケース５２の装着凹部５６には、装着凸部５５の第１コネクタ６０に係脱可能に差し込まれて電気的に接続される第２コネクタ６１が設けられている。この場合、連結ケース５１側の第１コネクタ６０は、フレキシブルな配線基板などの接続部材（図示せず）によってヒンジ部３を介して第１ケース１内の電子回路（図示せず）と電気的に接続されている。また、表示ケース５２側の第２コネクタ６１は、表示部５３に電気的に接続されている。
【００５５】
この場合、表示ケース５２側の第２コネクタ６１は、図１７（ａ）および図１７（ｂ）に示すように、表示部５３の表示形態の種類に応じてそれぞれ接続端子部の端子数および端子位置が異なるように構成されている。例えば、図１７（ａ）に示された第２コネクタ６１は、表示部５３の表示形態の表示レベルが最も高いもの、例えば高解像度表示である場合、接続端子部の端子が全ての位置に設けられている。また、図１７（ｂ）に示された第２コネクタ６１は、表示部５３の表示形態の表示レベルが低いもの、例えば白黒表示である場合、接続端子部の端子が全ての位置に設けられておらず、途中の端子が抜けている。また、連結ケース５１側の第１コネクタ６０は、図１８に示すように、表示部５３の表示形態の種類に応じて異なる第２コネクタ６１のいずれもが挿脱可能に差し込まれて電気的に接続されるように構成されている。
【００５６】
このような電子辞書では、第２ケース５０の連結ケース５１の装着凸部５５に表示ケース５２の装着凹部５６を嵌合させると、装着凸部５５に設けられたロック部材５７が表示ケース５２の装着凹部５６に設けられた係合凹部５８に係脱可能に係止されてロックされると共に、表示ケース５２側の第２コネクタ６１が連結ケース５１側の第１コネクタ６０に差し込まれて第１、第２コネクタ６０、６１が電気的に接続される。これにより、表示ケース５２が連結ケース５１に取り付けられると共に、この表示ケース５２の表示部５３と第１ケース１内の電子回路（図示せず）とが電気的に接続される。
【００５７】
この状態で、第１ケース１と第２ケース５０とをヒンジ部３を中心に回動させて閉じると、第１ケース１と第２ケース５０とが互いに重なり合うので、全体がコンパクトになり、これにより良好に携帯することができる。また、第１ケース１と第２ケース５０とをヒンジ部３を中心に回動させて開くと、図１３に示すように、第１ケース１のキーボード５が露呈すると共に、第２ケース５０の表示部５３が開口部５４を通して露呈するので、表示部５３を見ながらキーボード５を操作して情報を入力することができると共に、入力された情報をおよびその入力操作に基づいて所望の辞書データなどの情報を表示部５３に表示させることができ、これにより良好に使用することができる。
【００５８】
また、この電子辞書では、ユーザが表示部５３の表示形態を変更することができる。このときには、装着凸部５５に設けられたロック部材５７による装着凹部５６の係合凹部５８に対するロックを解除して、ロック部材５７を装着凹部５６の係合凹部５８から離脱させ、この状態で表示ケース５２の装着凹部５６を連結ケース５１の装着凸部５５から引き出して第１コネクタ６０から第２コネクタ６１を離脱させる。これにより、連結ケース５１から表示ケース５２を取り外すことができる。この後、表示形態の異なる表示部５３を備えた表示ケース５２を上記と同様に連結ケース５１に取り付けることができる。
【００５９】
この場合には、表示ケース５２側の第２コネクタ６１が連結ケース５１側の第１コネクタ６０に差し込まれたときに、その接続状態が異なる。すなわち、第２コネクタ６１は、表示部５３の表示形態によってその端子数および端子位置が異なり、この端子数および端子位置が異なる第２コネクタ６１が第１コネクタ６０に差し込まれるため、表示部５３の表示形態に応じて、第１、第２コネクタ６０、６１の接続状態が異なる。これにより、第１、第２コネクタ６０、６１が表示部５３の表示形態の種類を検出して表示部５３の表示形態の種類に応じて画面の表示状態を制御プログラムによって変更させることができる。
【００６０】
このように、この電子辞書によれば、第２ケース５０が、ヒンジ部３によって第１ケース１に開閉可能に連結された連結ケース５１と、表示部５３が設けられて連結ケース５１に着脱可能に取り付けられる表示ケース５２とからなることにより、表示部５３を有する表示ケース５２を連結ケース５１に着脱可能に取り付けることができるので、表示形態の異なる表示部５３を有する表示ケース５２を交換することができ、これによりユーザの希望する表示形態の表示部５３を自由に選択して取り付けることができる。
【００６１】
この場合、連結ケース５１に設けられた第１コネクタ６０と表示ケース５２に設けられた第２コネクタ６１との接続状態によって、表示部５３の表示形態の種類を検出して表示部５３の表示形態の種類に応じて画面の表示状態を変更させることができるので、表示部５３の表示形態が異なる表示ケース５２を交換しても、その表示形態に応じて画面の表示状態を自動的に変更することができるので、ユーザが簡単に且つ容易に表示ケース５２を交換することができる。特に、表示形態の異なる表示ケース５２を交換するときに、第１、第２コネクタ６０、６１を接続するだけで、表示部５３の表示形態の種類に応じた画面の表示状態に変更することができるので、表示ケース５２の交換が簡単で容易にでき、より一層、使い勝手のよいものを得ることができる。
【００６２】
なお、上記実施形態３においても、実施形態１、２と同様、第２ケース５０の外表面に装飾パネル４を着脱可能に装着してユーザ独自の装飾効果を得るように構成しても良い。
また、上記実施形態１〜３では、電子機器として電子辞書に適用した場合について述べたが、これに限らず、携帯電話機や電卓、あるいはＰＤＡ（パーソナル・デジタル・アシスタント）などの携帯型の電子機器に広く適用することができる。
【図面の簡単な説明】
【００６３】
【図１】この発明を適用した電子辞書の使用時における正面図である。（実施形態１）
【図２】図１の電子辞書を閉じた状態の一部破断した側面図である。
【図３】図１の電子辞書の装飾パネルを取り外した状態において第２ケースのみを示した正面図である。
【図４】図１の第２ケースの背面側から見た装飾パネルの正面を示した図である。
【図５】図４のＡ−Ａ矢視における要部の拡大断面図である。
【図６】図２の要部を拡大した断面図である。
【図７】図３の第２ケースに装飾パネルを取り付ける状態を示した側面図である。
【図８】図４の装飾部の要部を示した拡大断面図である。
【図９】装飾部の第１変形例を示した要部の拡大断面図である。
【図１０】装飾部の第２変形例を示した要部の拡大断面図である。
【図１１】この発明を適用した電子辞書の第２ケースに装飾パネルを取り付けた状態における装飾パネルの正面側を示した図である。（実施形態２）
【図１２】図１１のＢ−Ｂ矢視における要部の拡大断面図である。
【図１３】この発明を適用した電子辞書の使用時における正面図である。（実施形態３）
【図１４】図１３の側面図である。
【図１５】図１３の要部を示した正面図である。
【図１６】図１５の連結ケースと表示ケースとを分解した状態を示し、（ａ）はその分解正面図、（ｂ）はその分解側面図である。
【図１７】表示ケース側の第２コネクタを示し、（ａ）は表示部の表示形態の表示レベルが最も高い場合における第２コネクタの接続端子の配列状態を示した図、（ｂ）は表示部の表示形態の表示レベルの低い場合における第２コネクタの接続端子の配列状態を示した図である。
【図１８】連結ケース側の第１コネクタにおける接続端子の配列状態を示した図である。
【符号の説明】
【００６４】
１  第１ケース
２、５０  第２ケース
３  ヒンジ部
４  装飾パネル
５  キーボード
６、５３  表示部
１１、４０  パネル本体
１２、４１  面発光装置
１４  発光ダイオード
１５  導光板
１８  装飾部
１９  発光層
２０  遮光層
２１  接続連結部
４３  ＥＬ発光素子
５１  連結ケース
５２  表示ケース
６０  第１コネクタ
６１  第２コネクタ
【図１】
2005292490.tif 000003
【図２】
2005292490.tif 000004
【図３】
2005292490.tif 000005
【図４】
2005292490.tif 000006
【図５】
2005292490.tif 000007
【図６】
2005292490.tif 000008
【図７】
2005292490.tif 000009
【図８】
2005292490.tif 000010
【図９】
2005292490.tif 000011
【図１０】
2005292490.tif 000012
【図１１】
2005292490.tif 000013
【図１２】
2005292490.tif 000014
【図１３】
2005292490.tif 000015
【図１４】
2005292490.tif 000016
【図１５】
2005292490.tif 000017
【図１６】
2005292490.tif 000018
【図１７】
2005292490.tif 000019
【図１８】
2005292490.tif 000020